(57)【要約】【課題】ＩＣタグの再利用を可能とするＩＣタグホルダを提供すること。【解決手段】ＩＣタグを保持するＩＣタグホルダにおいて、ＩＣタグ６０を着脱自在に収容する収容部５１と、収容部５１の一部に設けられ、ＩＣタグへの電波を通過させる窓部５１ｃと、収容部５１の窓部５１ｃと反対側に設けられ、ＩＣタグ６０を装着する対象物に対して、取り付けるための取り付け部５１ｆと、を有する。【選択図】図８
2007164569.tif 000002
【特許請求の範囲】
【請求項１】
ＩＣタグを保持するＩＣタグホルダにおいて、
ＩＣタグを着脱自在に収容する収容部と、
上記収容部の一部に設けられ、ＩＣタグへの電波を通過させる窓部と、
上記収容部の窓部と反対側に設けられ、ＩＣタグを装着しようとする対象物に対して、取り付けるための取り付け部と、
を有することを特徴とするＩＣタグホルダ。
【請求項２】
前記収容部は、本体部と蓋部とを有し、上記蓋部を開いた状態にすることにより、前記ＩＣタグを着脱可能とすることを特徴とする請求項１記載のＩＣタグホルダ。
【請求項３】
前記本体部の一方の面は前記ＩＣタグが載置される載置面となり、他方の面は前記対象物に対して取り付けるための取り付け面となることを特徴とする請求項２記載のＩＣタグホルダ。
【請求項４】
前記蓋部は前記本体部に開閉自在に設けられており、前記蓋部および前記本体部は、閉じた状態において相互に係止するための係止部を有していることを特徴とする請求項３記載のＩＣタグホルダ。
【請求項５】
前記収容部は、前記ＩＣタグを挿抜するための挿抜口を有し、上記挿抜口より前記ＩＣタグを挿抜することにより、前記ＩＣタグを着脱自在に収容することを特徴とする請求項１記載のＩＣタグホルダ。
【請求項６】
前記収容部の一部には前記ＩＣタグを係止するための係止部を有していることを特徴とする請求項５記載のＩＣタグホルダ。
【請求項７】
前記係止部は、前記挿入口の周辺に設けられた舌状部材であり、前記ＩＣタグを挿入後に、当該舌状部材を折り曲げることにより前記ＩＣタグを係止することを特徴とする請求項６記載のＩＣタグホルダ。
【請求項８】
前記係止部は、収容部の内部に設けられた凸状部材または凹状部材と、前記ＩＣタグの一部に設けられた凹部または凸部によって構成され、これらが嵌合されることにより、前記ＩＣタグを係止することを特徴とする請求項６記載のＩＣタグホルダ。
【請求項９】
前記対象物に対して取り付けられるとともに、前記収容部と係合する係合部を有する板状部材を有し、
前記収容部の前記取り付け部は、上記板状部材の係合部と係合することにより、前記収容部を前記対象物に取り付けることを特徴とする請求項１記載のＩＣタグホルダ。
【請求項１０】
前記収容部の前記窓部と反対側にはフランジが設けられており、
前記板状部材には前記収容部が挿入される開口部が設けられるとともに、当該開口部の側面には上記フランジが係合する段差部が設けられており、当該段差部に上記フランジが係合することにより、前記板状部材に前記収容部が固定されることを特徴とする請求項９記載のＩＣタグホルダ。
【請求項１１】
前記収容部内部の上面と、前記ＩＣタグの天面の間には、前記窓部に対応する開口を有するとともに、前記ＩＣタグを前記対象物方向に押圧する復元力を有するバネ部材が配置されていることを特徴とする請求項１０記載のＩＣタグホルダ。
【請求項１２】
前記収容部は、金属部材によって構成され、前記窓部は前記金属部材に形成された開口部であることを特徴とする請求項１記載のＩＣタグホルダ。
【請求項１３】
ＩＣタグと当該ＩＣタグを保持するＩＣタグホルダを有するＩＣタグ装置において、
上記タグホルダは、
ＩＣタグを着脱自在に収容する収容部と、
上記収容部の一部に設けられ、ＩＣタグへの電波を通過させる窓部と、
上記収容部の窓部と反対側に設けられ、ＩＣタグを装着しようとする対象物に対して、取り付けるための取り付け部と、
を有することを特徴とするＩＣタグ装置。
【発明の詳細な説明】
【技術分野】
【０００１】
本発明は、ＩＣタグホルダおよびＩＣタグ装置に関するものである。
【背景技術】
【０００２】
近年、管理対象物にＩＣタグを設け、当該ＩＣタグに記憶されている情報に応じて、当該対象物を管理する管理方法が多用されるようになっている。
【０００３】
ところで、このようなＩＣタグは、特許文献１に示すように、管理対象物に対して接着する方法が一般的である。
【０００４】
【特許文献１】特開２００５−３７８９５号公報（図１）
【発明の開示】
【発明が解決しようとする課題】
【０００５】
しかしながら、このような方法によってＩＣタグを管理対象物に貼付する場合、ＩＣタグを簡単に取り外すことができないため、当該管理対象物が寿命を迎えて廃棄する場合には、管理対象物と併せて、ＩＣタグも廃棄されることになる。
【０００６】
ここで、ＩＣタグは、可動部分がなく、耐久性も高いため、一般的に、長寿命である。また、ＩＣタグは高価である場合が多い。このため、管理対象物と併せてＩＣタグも廃棄することは、資源の浪費となってしまう。
【０００７】
本発明は、上記の問題に鑑みてなされたものであり、ＩＣタグの再利用を可能とするＩＣタグホルダおよびＩＣタグ装置を提供することを目的とする。
【課題を解決するための手段】
【０００８】
上記の課題を解決するために、本発明では、以下のようにした。
【０００９】
本発明のＩＣタグホルダは、ＩＣタグを保持するＩＣタグホルダにおいて、ＩＣタグを着脱自在に収容する収容部と、収容部の一部に設けられ、ＩＣタグへの電波を通過させる窓部と、収容部の窓部と反対側に設けられ、ＩＣタグを装着しようとする対象物に対して、取り付けるための取り付け部と、を有する。
【００１０】
このため、ＩＣタグの再利用を可能とするＩＣタグホルダを提供することができる。
【００１１】
また、本発明の他の発明は、上述の発明に加えて、収容部は、本体部と蓋部とを有し、蓋部を開いた状態にすることにより、ＩＣタグを着脱可能とする。このため、蓋部を開閉することにより、ＩＣタグを簡易に着脱することが可能になる。
【００１２】
また、本発明の他の発明は、上述の発明に加えて、本体部の一方の面はＩＣタグが載置される載置面となり、他方の面は対象物に対して取り付けるための取り付け面となる。このため、取り付け面の反対側に載置面を配することにより、ＩＣタグを対象物に確実に固定することができる。
【００１３】
また、本発明の他の発明は、上述の発明に加えて、蓋部は本体部に開閉自在に設けられており、蓋部および本体部は、閉じた状態において相互に係止するための係止部を有している。このため、係止部の係止を解いて蓋部を開くことにより、ＩＣタグを簡易に取り付けたり、取り外したりすることができる。
【００１４】
また、本発明の他の発明は、上述の発明に加えて、収容部は、ＩＣタグを挿抜するための挿抜口を有し、挿抜口よりＩＣタグを挿抜することにより、ＩＣタグを着脱自在に収容するようにしている。このため、開閉部等の機械的動作部を設けずに、ＩＣタグを着脱可能な構造とすることができる。したがって、ＩＣタグホルダの耐久性を向上させることができる。
【００１５】
また、本発明の他の発明は、上述の発明に加えて、収容部の一部にはＩＣタグを係止するための係止部を有している。このため、ＩＣタグを収容部内に確実に固定することが可能になる。
【００１６】
また、本発明の他の発明は、上述の発明に加えて、係止部は、挿入口の周辺に設けられた舌状部材であり、ＩＣタグを挿入後に、当該舌状部材を折り曲げることによりＩＣタグを係止するようにしている。このため、簡易な構造により、ＩＣタグを確実に固定することが可能になる。また、構造が簡易であるので、製造コストを削減できる。さらに、対象物が不要になった場合には、ＩＣタグを簡易に取り外すことができる。
【００１７】
また、本発明の他の発明は、上述の発明に加えて、係止部は、収容部の内部に設けられた凸状部材または凹状部材と、ＩＣタグの一部に設けられた凹部または凸部によって構成され、これらが嵌合されることにより、ＩＣタグを係止する。このため、部材を折り曲げたりする必要がないので、ＩＣタグの着脱を簡易に行うことができる。
【００１８】
また、本発明の他の発明は、上述の発明に加えて、対象物に対して取り付けられるとともに、収容部と係合する係合部を有する板状部材を有し、収容部の取り付け部は、板状部材の係合部と係合することにより、収容部を対象物に取り付けるようにしている。このため、このため、収容部についても再利用が可能となる。
【００１９】
また、本発明の他の発明は、上述の発明に加えて、収容部の窓部と反対側にはフランジが設けられており、板状部材には収容部が挿入される開口部が設けられるとともに、当該開口部の側面にはフランジが係合する段差部が設けられており、当該段差部にフランジが係合することにより、板状部材に収容部が固定されるようにしている。このため、フランジと段差部が係合することによってＩＣタグホルダを対象物に確実に取り付けることが可能になる。
【００２０】
また、本発明の他の発明は、上述の発明に加えて、収容部内部の上面と、ＩＣタグの天面の間には、窓部に対応する開口を有するとともに、ＩＣタグを対象物方向に押圧する復元力を有するバネ部材が配置されるようにしている。このため、ＩＣタグが収容部の内部において、移動することを防止できる。
【００２１】
また、本発明の他の発明は、上述の発明に加えて、収容部は、金属部材によって構成され、窓部は金属部材に形成された開口部である。このため、金属部材によってＩＣタグを確実に保護するとともに、開口部を介して電波を送受することにより、情報を確実に読み書きすることができる。
【００２２】
また、本発明は、ＩＣタグと当該ＩＣタグを保持するＩＣタグホルダを有するＩＣタグ装置において、タグホルダは、ＩＣタグを着脱自在に収容する収容部と、収容部の一部に設けられ、ＩＣタグへの電波を通過させる窓部と、収容部の窓部と反対側に設けられ、ＩＣタグを装着しようとする対象物に対して、取り付けるための取り付け部と、を有するようにしている。
【００２３】
このため、ＩＣタグの再利用を可能とするＩＣタグ装置を提供することができる。
【発明の効果】
【００２４】
本発明によれば、ＩＣタグの再利用が可能なＩＣタグホルダおよびＩＣタグ装置を得ることができる。
【発明を実施するための最良の形態】
【００２５】
以下、図に基づいて本発明の実施の形態を説明する。
【００２６】
第１の実施の形態．
【００２７】
図１は、本発明の第１の実施の形態に係るＩＣタグ装置の構成例を示す図である。この図に示すように、第１の実施の形態に係るＩＣタグ装置は、蓋部１１および本体部１２を主要な構成要素とするＩＣタグホルダ１０と、ＩＣタグ２０を主要な構成要素としている。なお、この例では、蓋部１１および本体部１２は、例えば、金属部材または樹脂部材等によって構成され、これらによって収容部が形成される。
【００２８】
ここで、蓋部１１は、側面１１ａおよび天面１１ｂを有している。天面１１ｂには、ＩＣタグ２０と対応する位置に窓部としての開口部１１ｃが設けられている。天面１１ｂを囲むように形成された側面１１ａには、蓋部１１と本体部１２とを開閉自在に接続するための蝶番１１ｅが設けられている。また、側面１１ａには、本体部１２に設けられている係止部１２ｄと係合する係止部１１ｄが設けられている。
【００２９】
本体部１２の上面１２ｂは載置面とされ、ＩＣタグ２０が載置される。なお、本体部１２と蓋部１１とを閉じた状態にすることにより、これらによって形成される内側空間にＩＣタグ２０が収容される。側面１２ａには、前述した蓋部１１の係止部１１ｄと係合する係止部１２ｄが設けられている。この例では、係止部１１ｄが凸形状となっており、係止部１２ｄが凹形状となっており、これらが嵌合することにより、蓋部１１と本体部１２とが係止される。また、側面１２ａの一部には、蝶番１１ｅが設けられている。
【００３０】
ＩＣタグ２０が載置される上面１２ｂの反対側の面は、取り付け面１２ｃとされ、この面により、ＩＣタグホルダ１０が管理対象物に取り付けられる。なお、取り付ける方法としては、例えば、接着剤等によって接着するか、または、図示せぬ固定用の部材（例えば、ネジ等）によって固定する。
【００３１】
ＩＣタグ２０は、円形形状を有しており、その内部には後述する回路を具備し、図示せぬリーダライタにより、記憶されている情報を電波を媒介として読み書きすることができる。
【００３２】
図２は、図１に示すＩＣタグホルダ１０の蓋部１１を閉じた状態にて、矢印Ａによって切断した場合の断面図である。この図に示すように、ＩＣタグホルダ１０は、取り付け面１２ｃが管理対象物２５に接地するように配置されている。また、ＩＣタグ２０は、蓋部１１と本体部１２の間に挟まれて固定されている。ＩＣタグ２０の上面の一部は、開口部１１ｃから露出しており、図示せぬリーダライタを当該開口部１１ｃに接近させることにより、情報を読み書きすることができる。なお、この例では、ＩＣタグ２０の上面の大半部分が露出しているが、リーダライタによって通信が可能となればよいので、ＩＣタグ２０に内蔵されているアンテナが露出する大きさが確保できればよい。
【００３３】
図３は、図２に示すＩＣタグ２０の詳細な構成例を示すブロック図である。この図に示すように、ＩＣタグ２０は、アンテナ２１、制御回路２２、ＲＯＭ（Read Only Memory）２３、および、メモリ２４によって構成されている。
【００３４】
ここで、アンテナ２１は、図示せぬリーダライタからの電波を感受するとともにリーダライタへ電波を放射する。制御回路２２は、リーダライタからの指令に応じて、ＲＯＭ２３またはメモリ２４からデータを読み出したり、メモリ２４にデータを書き込んだりする回路である。
【００３５】
ＲＯＭ２３は、管理情報２３ａ等を記憶した書き換えできないメモリである。メモリ２４は、書き換え可能な不揮発性の半導体メモリであって、管理対象物２５に関する追加管理情報２４ａを記憶する。
【００３６】
なお、管理対象物２５としては、例えば、種々の商品等が想定されるが、ＩＣタグ２０の寿命よりも、その寿命もしくは耐用年数が短いものに使用することが好適である。
【００３７】
なお、図１に示すタグホルダ１０を管理対象物２５に配置する場合、まず、管理対象物２５の所望の位置に、図１に示すＩＣタグホルダ１０を、例えば、接着剤によって固定する。そして、蓋部１１と本体部１２の係止部１１ｄ，１２ｄによる係止を解き、蓋部１１を開いた状態とする。つぎに、ＩＣタグ２０を本体部１２の所定の位置に配置する。このとき、ＩＣタグ２０に裏表が存在する場合には、表が上側を向くようにして配置する。そして、蝶番１１ｅを中心として蓋部１１を回動させて閉じた状態とし、係止部１１ｄ，１２ｄを嵌合させて固定する。
【００３８】
その結果、ＩＣタグ２０は、蓋部１１の天面１１ｂと、本体部１２の上面１２ｂの間に挟まれた状態となって、固定される。なお、図示せぬリーダライタによってＩＣタグ２０に記憶されている情報を読み出す場合には、開口部１１ｃにリーダライタを近づけることにより、ＩＣタグ２０に格納されている情報を参照したり、ＩＣタグ２０に新たに情報を追加したりすることができる。
【００３９】
このようにして、ＩＣタグ２０に記憶されている追加管理情報および管理情報を参照することにより、管理対象物２５に関する情報を簡易に得ることができるので、管理対象物２５のトレーサビリティを向上させることができる。
【００４０】
そして、管理対象物２５の耐用年数が経過したり、寿命が切れたりした場合には、係止部１１ｄ，１２ｄの係合を解いて蓋部１１を開け、ＩＣタグ２０が見える状態とする。そして、ＩＣタグ２０を取り出し、管理対象物２５については、ＩＣタグホルダ１０とともに廃棄し、ＩＣタグ２０については、管理情報および追加情報を書き換えることにより、他の管理対象物に対して再度使用することができる。
【００４１】
なお、以上の実施の形態では、ＩＣタグ２０を本体部１２の上面１２ｂ上に単に載置するようにしたが、例えば、マジックテープ（登録商標）等によって、本体部１２の上面１２ｂ上に接着するようにしてもよい。あるいは、本体部１２の上面１２ｂに凹部を設け、当該凹部に、ＩＣタグ２０を嵌合させるようにしてもよい。
【００４２】
また、以上の実施の形態では、蓋部１１と本体部１２とは、蝶番１１ｅによって開閉自在となるようにしたが、例えば、蓋部１１と本体部１２とをヒンジピンによって軸着することにより、開閉自在とすることもできる。
【００４３】
また、以上の実施の形態では、蓋部１１と本体部１２とは、係止部１１ｄ，１２ｄによって係止されるようにしたが、例えば、係止具またはネジによって係止されるようにしてもよい。なお、係止具としては、例えば、蓋部１１にフックを設け、本体部１２に当該フックに係合する金具を有するとともに、当該金具をレバーの操作によって引き下げる形状の係止具を用いるようにしてもよい。なお、これら以外の方法によって固定してもよい。
【００４４】
また、以上の実施の形態では、蓋部１１と本体部１２とは、蝶番１１ｅによって開閉自在とされているが、蝶番１１ｅを設けずに、例えば、蓋部１１の内側面と、本体部１２の外側面にそれぞれネジを切り、蓋部１１を回転させてネジを螺合させることにより、これらを固定するようにしてもよい。あるいは、ネジを設けずに、係止部１１ｄ，１２ｄと同様の係止部を複数設け、これらが相互に嵌合するようにしてもよい。
【００４５】
第２の実施の形態．
【００４６】
図４は、本発明の第２の実施の形態の構成例を示す斜視図である。この図に示すように、第２の実施の形態のＩＣタグホルダ装置は、蓋部３１および本体部３２を主要な構成要素とするＩＣタグホルダ３０、ならびに、ＩＣタグ４０を主要な構成要素としている。
【００４７】
ここで、蓋部３１は、側面３１ａおよび天面３１ｂを有している。天面３１ｂには、ＩＣタグ４０と対応する位置に開口部３１ｃが設けられている。天面３１ｂを囲むように形成されている側面３１ａには、蓋部３１と本体部３２とを開閉自在に接続するためのヒンジピン３１ｅが配置されている。また、側面３１ａには、本体部３２に設けられている係止部３２ｄと係合する係止部３１ｄが設けられている。
【００４８】
本体部３２の上面３２ｂには、ＩＣタグ４０が載置されている。上面３２ｂを囲む側面３２ａには、前述した蓋部１１の係止部１１ｄと係合する係止部３２ｄが設けられている。この例では、係止部３１ｄが凸形状となっており、係止部３２ｄが凹形状となっており、これらが嵌合することにより、蓋部３１と本体部３２とが係合する。
【００４９】
取り付け面３２ｃは、ＩＣタグ４０が載置されている上面３２ｂの反対側の面であり、当該取り付け面３２ｃによりＩＣタグホルダ３０が管理対象物に取り付けられる。なお、取り付ける方法としては、例えば、接着剤等によって接着するか、または、図示せぬ固定用の部材（例えば、ネジ等）によって固定する。
【００５０】
ＩＣタグ４０は、矩形形状を有しており、その内部には図３と同様の回路を具備し、図示せぬリーダライタにより、記憶されている情報を電波を媒介として読み書きすることができる。
【００５１】
図５は、図１に示すＩＣタグホルダ３０の蓋部３１を閉じた状態にて、矢印Ａで示す方向に切断した場合の断面図である。この図に示すように、ＩＣタグホルダ３０は、取り付け面３２ｃが管理対象物４５に接地するように配置される。また、ＩＣタグ４０は、蓋部３１と本体部３２の間に挟まれて固定されている。ＩＣタグ４０の上面の一部は、開口部３１ｃから露出しており、図示せぬリーダライタを当該開口部３１ｃに接近させることにより、情報を読み書きすることができる。
【００５２】
なお、図４に示すタグホルダ３０を管理対象物４５に配置する場合、まず、管理対象物４５の所望の位置に、図４に示すタグホルダ３０を、例えば、接着剤によって固定する。そして、蓋部３１と本体部３２の係止部３１ｄ，３２ｄによる係止を解き、蓋部３１を開いた状態とする。つぎに、ＩＣタグ４０を本体部３２の上面３２ｂの所定の位置に配置する。このとき、ＩＣタグ４０に裏表が存在する場合には、表が上側を向くようにして配置する。そして、ヒンジピン３１ｅを中心として蓋部３１を回動させて閉じた状態とし、係止部３１ｄ，３２ｄを嵌合させて固定する。
【００５３】
その結果、ＩＣタグ４０は、蓋部３１の天面３１ｂと、本体部３２の上面３２ｂの間に挟まれた状態となって、固定される。なお、図示せぬリーダライタによってＩＣタグ４０に記憶されている情報を読み出す場合には、開口部３１ｃにリーダライタを近づけることにより、ＩＣタグ４０に格納されている情報を参照したり、ＩＣタグ４０に新たに情報を追加したりすることができる。
【００５４】
このようにして、ＩＣタグ４０に記憶されている追加管理情報および管理情報を参照することにより、管理対象物４５に関する情報を簡易に得ることができるので、管理対象物４５のトレーサビリティを向上させることができる。
【００５５】
そして、管理対象物４５の耐用年数が経過したり、寿命が切れたりした場合には、係止部３１ｄ，３２ｄの係合を解いて蓋部３１を開け、ＩＣタグ４０が見える状態とする。そして、ＩＣタグ４０を取り出し、管理対象物４５については、タグホルダ３０とともに廃棄し、ＩＣタグ４０については、管理情報および追加情報を書き換えることにより、他の管理対象物に対して再度使用することができる。
【００５６】
なお、以上の実施の形態では、ＩＣタグ４０を本体部３２の上面３２ｂ上に単に載置するようにしたが、例えば、マジックテープ（登録商標）等によって、本体部３２の上面３２ｂ上に接着するようにしてもよい。あるいは、本体部３２の上面３２ｂに凹部を設け、当該凹部に、ＩＣタグ４０を嵌合させるようにしてもよい。
【００５７】
また、以上の実施の形態では、蓋部３１と本体部３２とは、ヒンジピン３１ｅによって開閉自在となるようにしたが、例えば、蓋部３１と本体部３２とを蝶番によって軸着することにより、開閉自在とすることもできる。
【００５８】
また、以上の実施の形態では、蓋部３１と本体部３２とは、係止部３１ｄ，３２ｄによって係止されるようにしたが、例えば、係止具またはネジによって係止されるようにしてもよい。なお、係止具としては、前述したようなものを使用することができる。なお、これら以外の方法によって固定してもよい。
【００５９】
また、以上の実施の形態では、蓋部３１と本体部３２とは、ヒンジピン３１ｅによって開閉自在とされているが、ヒンジピン３１ｅを設けずに、例えば、係止部３１ｄ，３２ｄと同様の係止部を複数設け、これらが相互に嵌合するようにしてもよい。
【００６０】
第３の実施の形態．
【００６１】
図６は、本発明の第３の実施の形態の構成例を示す斜視図である。この図に示すように、第３の実施の形態のＩＣタグ装置は、ＩＣタグホルダ５１およびＩＣタグ６０を主要な構成要素としている。
【００６２】
ここで、ＩＣタグホルダ５１は、箱形形状を有しており、内部にＩＣタグ６０が挿入され、保持する。ＩＣタグホルダ５１の前面５１ｂには、開口部５１ｃが設けられている。前面５１ｂを囲む側面５１ａの上部には、舌状部５１ｄ，５１ｅがＩＣタグホルダ５１から突出した状態で設けられており、ＩＣタグ６０を挿入した後に、これらの舌状部５１ｄ，５１ｅを図６に示すように内側に折り曲げることにより、ＩＣタグ６０を固定することができる。
【００６３】
ＩＣタグ６０は、矩形形状を有しており、その内部には図３と同様の回路を具備し、図示せぬリーダライタにより、記憶されている情報を電波を媒介として読み書きすることができる。
【００６４】
図７は、図６に示すＩＣタグホルダ５１にＩＣタグ６０を挿入した状態にて、矢印Ａで示す方向に切断した場合の断面図である。この図に示すように、ＩＣタグホルダ５１は、取り付け面５１ｆが管理対象物６５に接地するように配置される。また、ＩＣタグ６０は、ＩＣタグホルダ５１の内部に挿抜口５１ｇを介して挿入されて固定されている。ＩＣタグ６０の上面の一部は、開口部５１ｃから露出しており、図示せぬリーダライタを当該開口部５１ｃに接近させることにより、情報を読み書きすることができる。
【００６５】
図８は、図６に示すＩＣタグ６０を、ＩＣタグホルダ５１に挿入する前の状態を示す図である。この図に示すように、ＩＣタグ６０を挿入する前の状態では、舌状部５１ｄ，５１ｅは、真っ直ぐな状態となっている。このような状態において、ＩＣタグ６０をＩＣタグホルダ５１の内部に挿抜口５１ｇを介して挿入する。その結果、図９に示すように、ＩＣタグ６０がＩＣタグホルダ５１の内部５１ｈに挿入された状態となる。このような状態において、舌状部５１ｄ，５１ｅを内側に向けて折り曲げると、図６に示すように舌状部５１ｄ，５１ｅがＩＣタグ６０を押さえつける状態となるので、ＩＣタグ６０が保持された状態となる。
【００６６】
なお、図６に示すＩＣタグホルダ５１を管理対象物４５に配置する場合、まず、管理対象物６５の所望の位置に、図８に示すＩＣタグホルダ５１を、例えば、接着剤によって固定する。そして、図８に示すように、ＩＣタグ６０を挿抜口５１ｇを介して内部５１ｈに対して挿入し、前述のように舌状部５１ｄ，５１ｅを内側に向けて折り曲げることにより、ＩＣタグ６０を固定した状態とする。
【００６７】
その結果、ＩＣタグ６０は、舌状部５１ｄ，５１ｅによって保持されて固定される。なお、図示せぬリーダライタによってＩＣタグ６０に記憶されている情報を読み出す場合には、開口部５１ｃにリーダライタを近づけることにより、ＩＣタグ６０に格納されている情報を参照したり、ＩＣタグ６０に新たに情報を追加したりすることができる。
【００６８】
このようにして、ＩＣタグ６０に記憶されている追加管理情報および管理情報を参照することにより、管理対象物６５に関する情報を簡易に得ることができるので、管理対象物６５のトレーサビリティを向上させることができる。
【００６９】
そして、管理対象物６５の耐用年数が経過したり、寿命が切れたりした場合には、舌状部５１ｄ，５１ｅを、図９に示すように外側に折り曲げて開け、ＩＣタグ６０を取り出す。また、管理対象物６５については、ＩＣタグホルダ５１とともに廃棄し、ＩＣタグ６０については、管理情報および追加情報を書き換えることにより、他の管理対象物に対して再度使用することができる。
【００７０】
なお、以上の実施の形態では、ＩＣタグ６０を舌状部５１ｄ，５１ｅを折り曲げて固定するようにしたが、例えば、図１０に示すように、折り曲げるだけでなく、ネジ７１ｇによって固定するようにしてもよい。
【００７１】
すなわち、図１０の例では、ＩＣタグ装置は、ＩＣタグホルダ７１およびＩＣタグ６０を主要な構成要素としている。
【００７２】
ここで、ＩＣタグホルダ７１は、箱形形状を有しており、内部にＩＣタグ６０が挿入され、保持する。ＩＣタグホルダ７１の前面７１ｂには、開口部７１ｃが設けられている。側面７１ａの上部には、固定部７１ｄ，７１ｅが設けられている。固定部７１ｄ，７１ｅの先端部分は、外側に直角に折り曲げられており、当該折り曲げられた部分の中央付近には、ネジ７１ｇを装着するための図示せぬ孔が設けられている。ＩＣタグ６０を挿入した後に、これらの固定部７１ｄ，７１ｅを内側に折り曲げ、直角に折り曲げられた部分を合わせて、ネジ７１ｇによって固定することにより、ＩＣタグ６０を保持することができる。
【００７３】
このような実施の形態によれば、ネジ７１ｇによってＩＣタグ６０を固定することから、図６のように金属の形状保持力によってＩＣタグ６０を固定する場合に比較し、外力によってＩＣタグ６０が脱落することを防止できる。また、ＩＣタグ６０の着脱についても、ネジ７１ｇを回転させることにより、簡易に行うことができる。
【００７４】
なお、図１０の例では、固定部７１ｄ，７１ｅについては、側面７１ａの上部を延伸して形成するようにしたが、当該部分を別部材によって構成し、当該別部材を蝶番等によって、側面７１ａに開閉自在に固定するようにしてもよい。
【００７５】
また、ネジ７１ｇとして、指先で回転可能なものを利用すれば、工具を使用せずに、ＩＣタグ６０を簡易に着脱することが可能になる。
【００７６】
なお、図６および図１０の例では、側面５１ａ，７１ａに設けられた舌状部５１ｄ，５１ｅおよび固定部７１ｄ，７１ｅによって、ＩＣタグ６０を固定するようにしたが、例えば、図１１に示すように、ＩＣタグ９０の側面９１ａに切り欠き９１ｂ，９１ｃを設け、ＩＣタグホルダ８１の内側の側面にこれと係合する係合部８１ｈ，８１ｉを設けるようにしてもよい。
【００７７】
すなわち、図１１の例では、ＩＣタグ９０の側面９１ａには、その断面が半円形状を有する切り欠き９１ｂ，９１ｃが設けられている。一方、ＩＣタグホルダ８１の内部８１ｇの側面には、図１２に示すように、係合部８１ｈおよび係合部８１ｉ（不図示）が設けられている。係合部８１ｈ，８１ｉは、例えば、可撓性を有する金属部材等によって構成され、支持部８１ｈ１と凸状部８１ｈ２を有している。支持部８１ｈ１は、例えば、接着剤等によって内側面に固定される。凸状部８１ｈ２は、切り欠き９１ｂ，９１ｃの内部に嵌合するように形成されており、バネ力によって切り欠き９１ｂ，９１ｃを押圧して保持する。
【００７８】
図１１に示すＩＣタグホルダ８１を管理対象物（不図示）に配置する場合、まず、管理対象物の所望の位置に、図１１に示すＩＣタグホルダ８１を、例えば、接着剤によって固定する。そして、図１１に示すように、ＩＣタグ９０を内部８１ｇに挿入する。ＩＣタグ９０の底面が係合部８１ｈ，８１ｉにまで到達すると、側面９１ａが凸状部８１ｈ２，８１ｉ２を外側に向けて押圧するので、凸状部８１ｈ２，８１ｉ２は、つぶれた形状となる。その結果、ＩＣタグ９０はさらに奥に向けて進入することが可能になる。そして、ＩＣタグ９０の切り欠き９１ｂ，９１ｃが係合部８１ｈ，８１ｉまで到達すると、係合部８１ｈ，８１ｉの凸状部８１ｈ２，８１ｉ２は、内側に向かって復元力が働き、図１２に示すように、凸状部８１ｈ２，８１ｉ２が切り欠き９１ｂ，９１ｃに嵌合した状態となる。このような状態になると、係合部８１ｈ，８１ｉのバネ力によって、切り欠き部９１ｂ，９１ｃは保持された状態となるので、ＩＣタグ９０が脱落することを防止できる。
【００７９】
なお、図示せぬリーダライタによってＩＣタグ９０に記憶されている情報を読み出す場合には、開口部８１ｃにリーダライタを近づけることにより、ＩＣタグ９０に格納されている情報を参照したり、ＩＣタグ９０に新たに情報を追加したりすることができる。
【００８０】
このようにして、ＩＣタグ９０に記憶されている追加管理情報および管理情報を参照することにより、管理対象物に関する情報を簡易に得ることができるので、管理対象物のトレーサビリティを向上させることができる。
【００８１】
そして、管理対象物の耐用年数が経過したり、寿命が切れたりした場合には、工具等によって係合部８１ｈ，８１ｉのバネ力に打ち勝つだけの力をＩＣタグ９０に印加すると、係合部８１ｈ，８１ｉの係合が解け、ＩＣタグ９０を取り外すことができる。取り外したＩＣタグ９０については、管理情報および追加情報を書き換えることにより、他の管理対象物に対して再度使用することができる。また、管理対象物については、廃棄する。
【００８２】
なお、図１１の例では、ＩＣタグ９０の側面９１ａの２カ所に切り欠きを設けるようにしたが、１つだけであったり、３つ以上設けたりするようにしてもよい。また、側面ではなく、例えば、前面または後面に設けるようにすることも可能である。
【００８３】
また、図１１の例では、ＩＣタグ９０を取り外す際には、工具によって取り外すようにしたが、例えば、ＩＣタグ９０の前面に、ユーザの指を挿入することができる凹部または指と係合する凸部を設けておき、ＩＣタグ９０を取り外す際には、当該部分を指によって操作することにより、ＩＣタグ９０を簡単に外すことができるようにしてもよい。
【００８４】
なお、以上の実施の形態では、ＩＣタグ９０の側面に凹形状の切り欠き９１ｂ，９１ｃを設け、ＩＣタグホルダ８１の内側面に凸形状の係合部８１ｈ，８１ｉを設けるようにしたが、ＩＣタグ９０の側面に凸形状の係合部を設け、ＩＣタグホルダ８１の内側面に凹形状の切り欠きを設けるようにしてもよい。
【００８５】
第４の実施の形態．
【００８６】
図１３は、本発明の第４の実施の形態に係るタグホルダの構成例を示す分解図斜視である。この図に示すように、第４の実施の形態のＩＣタグ装置は、ＩＣタグホルダ１０１、バネ部材１０２、ＩＣタグ１０３、および、板状部材１０４を主要な構成要素としている。
【００８７】
ここで、ＩＣタグホルダ１０１は、例えば、金属製の略長方形の箱形形状を有する部材１０１ａによって構成されている。ＩＣタグホルダ１０１の底部には、ＩＣタグ１０３を挿入するための開口１０１ｅが設けられている。また、ＩＣタグホルダ１０１は、底面を除く面（天面、前後面、左右面）のそれぞれに、開口１０１ｄ，１０１ｆ，１０１ｇ，１０１ｈ，１０１ｉがそれぞれ設けられている。さらに、底部の開口１０１ｅの前後（図の奥行き方向）には、前後方向に突出したフランジ１０１ｂ，１０１ｃがそれぞれ設けられている。
【００８８】
バネ部材１０２は、可撓性を有する金属部材１０２ａによって構成される。バネ部材１０２は、ＩＣタグホルダ１０１の内部に配置され、ＩＣタグホルダ１０１の内部上面と、ＩＣタグ１０３の天面との間に配置される。バネ部材１０２は、図の下側に向かって突出するように湾曲しており、ＩＣタグ１０３がＩＣタグホルダ１０１の内部に挿入されると、バネ部材１０２はＩＣタグ１０３を下方向（図の下方向）に押圧する復元力を生じる。ＩＣタグ１０３の下面は、後述する管理対象物１０５の上面に接するように配置されていることから、ＩＣタグ１０３は、バネ部材１０２の復元力によって、管理対象物１０５に圧着されて固定される。また、バネ部材１０２には、矩形形状の開口１０２ｂが設けられている。開口１０２ｂは、図示せぬリーダライタによって、ＩＣタグ１０３から情報を読み書きする際に、電波が通過する領域となっている。すなわち、ＩＣタグ１０３と図示せぬリーダライタは、ＩＣタグホルダ１０１の開口１０１ｄおよびバネ部材１０２の開口１０２ｂを介して電波によって通信する。
【００８９】
ＩＣタグ１０３は、略長方形の矩形形状を有しており、図３と同様の回路をその内部に有している。
【００９０】
板状部材１０４は、例えば、円形形状を有する所定の厚さの金属部材１０４ａによって構成されている。板状部材１０４の中央部には、ＩＣタグホルダ１０１およびＩＣタグ１０３が装着される開口１０４ｂが設けられている。開口１０４ｂの前後方向（図の奥行き方向）の側面には、ＩＣタグホルダ１０１のフランジ１０１ｂ，１０１ｃと嵌合するための段差部１０４ｃがそれぞれ設けられている。なお、板状部材１０４は、開口１０４ｂにＩＣタグホルダ１０１、バネ部材１０２、および、ＩＣタグ１０３が差し込まれた状態で、管理対象物１０５の取り付け面上に配置され、例えば、接着剤等にて固定される。
【００９１】
図１４は、図１３に示すタグ装置１００を組み立てた状態を示す図である。タグ装置１００を組み立てる際には、まず、板状部材１０４を管理対象物１０５の取り付け面に、例えば、接着剤等によって接着する。なお、板状部材１０４が剥離してしまうと、ＩＣタグ装置１００が紛失してしまうので、接着剤としては接着力が高いものを使用することが望ましい。
【００９２】
つぎに、図１３に示すバネ部材１０２をＩＣタグホルダ１０１の開口１０１ｅから図１３に示す状態（すなわち、突出した方を下方向にした状態）のまま内部に差し込み、ＩＣタグホルダ１０１の内部の上面に当接する位置まで移動する。
【００９３】
つづいて、ＩＣタグ１０３をＩＣタグホルダ１０１の開口１０１ｅからＩＣタグホルダ１０１の内部に差し込み、バネ部材１０２に当接する位置まで移動した後、バネ部材１０２の復元力に逆らって、ＩＣタグ１０３を可能な限り内部に挿入する。このような状態で、ＩＣタグホルダ１０１を挟持し、ＩＣタグ１０３が落ちない状態にして、板状部材１０４の開口１０４ｂまで移動させる。そして、フランジ１０１ｂ，１０１ｃの一方を、開口１０４ｂの一方の段差部１０４ｃに差し込み、嵌合させる。つづいて、ＩＣタグホルダ１０１を強く挟持してＩＣタグホルダ１０１を内側に撓ませながら（フランジ１０１ｂ，１０１ｃが接近する方向に撓ませながら）、フランジ１０１ｂ，１０１ｃの他方を、他方の段差部１０４ｃに差し込んで嵌合させる。
【００９４】
以上の手順により、バネ部材１０２およびＩＣタグ１０３が内部に配置された状態のＩＣタグホルダ１０１が板状部材１０４に固定され、図１４に示す状態となる。すなわち、図１４の例では、板状部材１０４の開口１０４ｂにＩＣタグホルダ１０１が挿入されて固定されている。また、ＩＣタグホルダ１０１の開口１０１ｄと、バネ部材１０２の開口１０２ｂとは、略同一の形状となっているので、これらが重なって電波を通過させるための領域が形成される。なお、ＩＣタグホルダ１０１のフランジ１０１ｂ，１０１ｃは、段差部１０４ｃに係合されており、また、ＩＣタグホルダ１０１は、フランジ１０１ｂ，１０１ｃを外側に押し広げる復元力を有しているので、ＩＣタグホルダ１０１が開口１０４ｂに挿入されると、簡単には脱離しない状態となる。
【００９５】
図１５は、図１４に示すＩＣタグ装置１００を矢印Ａに示す方向で切断した場合の断面図である。この図に示すように、管理対象物１０５の取り付け面（上面）には、板状部材１０４が配置され、ＩＣタグ１０３およびバネ部材１０２が内部に配置された状態のＩＣタグホルダ１０１が開口１０４ｂ内に配置されている。ＩＣタグホルダ１０１の内部には、ＩＣタグ１０３が配置されている。ＩＣタグ１０３の天面と、ＩＣタグホルダ１０１の内部の上面との間には、バネ部材１０２が配置されている。バネ部材１０２は、図１５に示すように、図の下方向に突出するように湾曲しており、ＩＣタグ１０３を下方向（図の下方向）に押圧する力を印加する。ＩＣタグ１０３の下面は、管理対象物１０５の取り付け面に当接するように配置されており、ＩＣタグ１０３には、バネ部材１０２からの下方向の力が働くので、ＩＣタグ１０３は、管理対象物１０５に圧着されて固定される。
【００９６】
図１６は、図１４に示すＩＣタグ装置１００を矢印Ｂに示す方向に切断した場合の断面図である。この図に示すように、管理対象物１０５の取り付け面には、板状部材１０４が配置されている。板状部材１０４の開口１０４ｂには、ＩＣタグホルダ１０１が挿入されて固定されている。図１６中において、拡大して示すように、ＩＣタグホルダ１０１のフランジ１０１ｃは、板状部材１０４の段差部１０４ｃに挿入されて固定されている。ＩＣタグ１０３は、ＩＣタグホルダ１０１の内部の中央付近に配置されている。また、ＩＣタグ１０３と、ＩＣタグホルダ１０１の内壁面との間には、ギャップｇが形成されている。当該ギャップｇは、ＩＣタグホルダ１０１を、板状部材１０４に挿入する際に、ＩＣタグホルダ１０１の幅を狭めて、挿入が容易になるように設けられている。なお、ＩＣタグホルダ１０１を板状部材１０４に挿入する際には、ＩＣタグ１０３がＩＣタグホルダ１０１の内部の上面に当接した状態にて挿入がなされるので、フランジ１０１ｂ，１０１ｃの内側には、ＩＣタグ１０３が存在しない状態となっているため、ギャップｇは、多少狭めに設定することができる。
【００９７】
なお、図示せぬリーダライタによってＩＣタグ１０３に記憶されている情報を読み出す場合には、開口１０１ｄにリーダライタを近づけることにより、ＩＣタグ１０３に格納されている情報を参照したり、ＩＣタグ１０３に新たに情報を追加したりすることができる。
【００９８】
このようにして、ＩＣタグ１０３に記憶されている追加管理情報および管理情報を参照することにより、管理対象物に関する情報を簡易に得ることができるので、管理対象物のトレーサビリティを向上させることができる。
【００９９】
そして、管理対象物１０５の耐用年数が経過したり、寿命が切れたりした場合には、ＩＣタグホルダ１０１を挟持して、ＩＣタグホルダ１０１を内側に向けて押圧する力を印加しつつ、フランジ１０１ｂ，１０１ｃの一方を離脱させ、つづいて、他方を離脱させる。その結果、ＩＣタグホルダ１０１を板状部材１０４から外すことができるので、ＩＣタグ１０３を取り出すことができる。取り出したＩＣタグ１０３については、管理情報および追加情報を書き換えることにより、他の管理対象物に対して再度使用することができる。また、管理対象物１０５については、廃棄する。
【０１００】
第５の実施の形態．
【０１０１】
図１７は、本発明の第５の実施の形態の構成例を示す分解斜視図である。この図に示すように、第５の実施の形態では、第４の実施の形態と比較すると、ＩＣタグ１１３は、円形形状を有している。また、ＩＣタグホルダ１１１は、円形のＩＣタグ１１３に合わせて、略正方形形状を有している。
【０１０２】
バネ部材１１２は、略正方形形状を有する可撓性部材によって構成され、図の下方向に突出するように湾曲している。また、バネ部材１１２の中央部には、ＩＣタグ１１３の天面の面積よりも狭い面積を有する開口１１２ｂが形成されている。当該開口１１２ｂは、ＩＣタグ１１３と図示せぬリーダライタが通信を行う際に、電波の通路となる。
【０１０３】
板状部材１１４は、金属製の部材１１４ａによって構成され、ＩＣタグホルダ１１１の底部に対応した大きさの開口１１４ｂが設けられている。また、板状部材１１４の開口１１４ｂの前後方向（図の奥行き方向）の側面には、フランジ１１１ｂ，１１１ｃが挿入される段差部１１４ｃがそれぞれ設けられている。
【０１０４】
なお、第５の実施の形態の管理対象物への取り付け方および取り外し方は、第４の実施の形態の場合と同様であるので、その説明は省略する。
【０１０５】
このようにして、ＩＣタグ１１３に記憶されている追加管理情報および管理情報を参照することにより、管理対象物に関する情報を簡易に得ることができるので、管理対象物のトレーサビリティを向上させることができる。
【０１０６】
また、管理対象物の寿命が尽きた場合には、ＩＣタグ１１３を取り外して再利用することができるので、管理に要するコストを削減することができる。
【０１０７】
なお、上述の各実施の形態は、本発明の好適な例であるが、本発明は、これらに限定されるものではなく、本発明の要旨を逸脱しない範囲において、種々の変形、変更が可能である。
【０１０８】
例えば、以上の各実施の形態では、リーダライタによって情報を読み取るための開口部を設けるようにしたが、例えば、樹脂部材によってＩＣタグホルダを形成する場合に、受信は電波を通過させるため、当該開口部は設けなくてもよい。また、開口部を設ける場合であっても、内部のＩＣタグを保護する目的で、当該開口部に対して、例えば、樹脂によって形成された、保護部材を嵌め込むようにしてもよい。
【０１０９】
また、図１，１７に示す実施の形態では、円形形状を有するＩＣタグ２０を用いるようにしたが、これ以外の形状、例えば、矩形形状を有するＩＣタグを用いるようにしてもよい。また、図４，６，１１，１３に示す実施の形態では、矩形形状を有するＩＣタグ４０，６０，９０を用いるようにしたが、これ以外の形状、例えば、円形形状を有するＩＣタグを用いることも可能である。
【０１１０】
また、以上の各実施の形態では、ＩＣタグには、情報は表示しない状態としたが、例えば、ＩＣタグの開口部から露出する部分、ＱＲコード等の二次元コードを印刷し、ＩＣタグに記憶されている情報とともに、二次元コードに格納されている情報を併せて読み取ることができるようにしてもよい。そのような方法によれば、複数の情報を格納することが可能になる。
【０１１１】
また、以上の各実施の形態では、ＩＣタグホルダを管理対象物に取り付ける取り付け面は平面形状としたが、管理対象物の形状に応じた形状（例えば、円形形状）を有するようにしてもよい。
【０１１２】
また、第４および第５の実施の形態では、板状部材１０４，１１４に開口１０４ｂ，１１４ｂを設けるとともに、当該開口１０４ｂ，１１４ｂの側面に段差部１０４ｃ，１１４ｃを設け、ＩＣタグホルダ１０１，１１１を挿入してフランジ１０１ｂ，１０１ｃおよびフランジ１１１ｂ，１１１ｃと嵌合するようにしたが、例えば、板状部材１０４，１１４の上面にフランジ１０１ｂ，１０１ｃおよびフランジ１１１ｂ，１１１ｃと嵌合する突起部を設け、当該突起部とフランジとが係合するようにしてもよい。
【産業上の利用可能性】
【０１１３】
本発明は、例えば、動産を管理するためのＩＣタグに適用可能である。
【図面の簡単な説明】
【０１１４】
【図１】本発明の第１の実施の形態に係るＩＣタグホルダの構成を示す斜視図である。
【図２】図１に示すＩＣタグホルダを管理対象物に取り付けた際の断面図である。
【図３】図１に示すＩＣタグの詳細な構成例を示すブロック図である。
【図４】本発明の第２の実施の形態に係るＩＣタグホルダの構成を示す斜視図である。
【図５】図４に示すＩＣタグホルダを管理対象物に取り付けた際の断面図である。
【図６】本発明の第３の実施の形態に係るＩＣタグホルダの構成を示す斜視図である。
【図７】図６に示すＩＣタグホルダを管理対象物に取り付けた際の断面図である。
【図８】図６に示すＩＣタグホルダにＩＣタグを取り付ける前の状態を示す図である。
【図９】図６に示すＩＣタグホルダにＩＣタグを挿入した状態を示す図である。
【図１０】図６に示すＩＣタグホルダの他の実施の形態を示す斜視図である。
【図１１】図６に示すＩＣタグホルダのさらに他の実施の形態を示す斜視図である。
【図１２】図１１に示すＩＣタグホルダの係合部の詳細を示す断面図である。
【図１３】本発明の第４の実施の形態に係るＩＣタグホルダの構成例を視示す分解斜視図である。
【図１４】図１３に示すＩＣタグホルダを組み立てて、管理対象物に取り付けた状態を示す図である。
【図１５】図１４に示す矢印Ａに沿って切断した場合の断面図である。
【図１６】図１４に示す矢印Ｂに沿って切断した場合の断面図である。
【図１７】本発明の第５の実施の形態に係るＩＣタグホルダの構成例を視示す分解斜視図である。
【符号の説明】
【０１１５】
１０  ＩＣタグホルダ，１１  蓋部，１１ｃ  開口部（窓部），１１ｄ  係合部，１２  本体部，１２ｂ  上面（載置面），１２ｃ  取り付け面（取り付け部，取り付け面），１２ｄ  係合部，２０  ＩＣタグ，３０  ＩＣタグホルダ，３１  蓋部，３１ｃ  開口部（窓部），３１ｄ  係止部，３２  本体部，３２ｂ  上面（載置面），３２ｃ  取り付け面，３２ｄ  係止部，４０  ＩＣタグ，５０  ＩＣタグホルダ，５１ｃ  開口部（窓部），５１ｄ，５１ｇ  舌状部（係止部），６０  ＩＣタグ，７０  ＩＣタグホルダ，７１ｃ  開口部（窓部），７１ｄ，７１ｅ  固定部（係止部），８１ｃ  開口部（窓部），８１ｈ，８１ｉ  係合部（係合部の一部），９０  ＩＣタグ，９１ｂ，９１ｃ  切り欠き（係合部の一部），１０１  ＩＣタグホルダ（収容部），１０１ｆ  開口（窓部），１０１ｂ，１０１ｃ  フランジ，１０２  バネ部材，１０３  ＩＣタグ，１０４  板状部材，１０４ｂ  開口，１０４ｃ  段差部，１１１  ＩＣタグホルダ（収容部），１１１ｆ  開口（窓部），１１１ｂ，１１１ｃ  フランジ，１１２  バネ部材，１１３  ＩＣタグ，１１４  板状部材，１１４ｂ  開口，１１４ｃ  段差部
【図１】
2007164569.tif 000003
【図２】
2007164569.tif 000004
【図３】
2007164569.tif 000005
【図４】
2007164569.tif 000006
【図５】
2007164569.tif 000007
【図６】
2007164569.tif 000008
【図７】
2007164569.tif 000009
【図８】
2007164569.tif 000010
【図９】
2007164569.tif 000011
【図１０】
2007164569.tif 000012
【図１１】
2007164569.tif 000013
【図１２】
2007164569.tif 000014
【図１３】
2007164569.tif 000015
【図１４】
2007164569.tif 000016
【図１５】
2007164569.tif 000017
【図１６】
2007164569.tif 000018
【図１７】
2007164569.tif 000019